(57)【要約】      （修正有）【課題】従来よりも容易にベルトまたは加熱ローラ等の加熱部材の回転軸方向における温度分布を略一定とすることができる温度制御技術を提供する。【解決手段】定着装置であって、加熱ローラと、張架ローラと、前記加熱ローラおよび前記張架ローラに巻架されるベルトと、シートに前記現像剤像を加熱定着させる加圧ローラと、前記ベルト上の前記回転軸方向における互いに異なる複数の領域を加熱する複数のヒータと、前記ベルトにおける前記複数のヒータの内の少なくとも２つによって加熱される領域の温度に関する温度情報を取得する温度情報取得部と、前記複数のヒータそれぞれを交互に駆動するとともに、前記温度情報取得部にて取得される情報に基づいて、前記複数の領域の内の第１の領域よりも温度が低い第２の領域を加熱するヒータの駆動時間を、前記第１の領域を加熱するヒータの駆動時間よりも長くする加熱制御部と、を備える。【選択図】図６
2009217264.tif 000002
【特許請求の範囲】
【請求項１】
加熱ローラと、
前記加熱ローラの回転軸と平行な回転軸を中心として回転する張架ローラと、
前記加熱ローラおよび前記張架ローラに巻架されるベルトと、
前記ベルトと協働して、現像剤像が形成されたシートを挟持搬送するとともに、前記シートに前記現像剤像を加熱定着させる加圧ローラと、
前記ベルト上の前記回転軸方向における互いに異なる複数の領域を加熱する複数のヒータと、
前記ベルトにおける前記複数のヒータの内の少なくとも２つによって加熱される領域の温度に関する温度情報を取得する温度情報取得部と、
前記複数のヒータそれぞれを交互に駆動するとともに、前記温度情報取得部にて取得される情報に基づいて、前記複数の領域の内の第１の領域よりも温度が低い第２の領域を加熱するヒータの駆動時間を、前記第１の領域を加熱するヒータの駆動時間よりも長くする加熱制御部と、
を備える定着装置。
【請求項２】
請求項１に記載の装置において、
前記定着装置は、画像形成装置に備えられるものであり、
前記画像形成装置における動作状況に関する情報を取得する動作情報取得部をさらに備え、
前記加熱制御部は、前記第２の領域を加熱するヒータの駆動時間として設定されている複数通りの駆動時間の内、前記動作情報取得部にて取得される情報に対応づけられている駆動時間を、前記第２の領域を加熱するヒータの駆動時間として選択する定着装置。
【請求項３】
請求項１に記載の装置において、
前記加熱ローラのローラ面に近接する位置に配置され、前記加熱ローラにおける前記複数の領域のうちの少なくとも２つの領域に対応する領域の表面温度を検知する複数のセンサをさらに備え、
前記温度情報取得部は、前記複数のセンサにて検知された温度を、前記温度情報として取得する定着装置。
【請求項４】
加熱ローラと、
前記加熱ローラと協働して、現像剤像が形成されたシートを挟持搬送するとともに、前記シートに前記現像剤像を加熱定着させる加圧ローラと、
前記加熱ローラの回転軸方向における互いに異なる複数の領域を加熱する複数のヒータと、
前記加熱ローラにおける前記複数のヒータの内の少なくとも２つによって加熱される領域の温度に関する温度情報を取得する温度情報取得部と、
前記複数のヒータそれぞれを交互に駆動するとともに、前記温度情報取得部にて取得される情報に基づいて、前記複数の領域の内の第１の領域よりも温度が低い第２の領域を加熱するヒータの駆動時間を、前記第１の領域を加熱するヒータの駆動時間よりも長くする加熱制御部と、
を備える定着装置。
【請求項５】
加熱ローラと、前記加熱ローラの回転軸と平行な回転軸を中心として回転する張架ローラと、前記加熱ローラおよび前記張架ローラに巻架されるベルトと、前記ベルトと協働して、現像剤像が形成されたシートを挟持搬送するとともに、前記シートに前記現像剤像を加熱定着させる加圧ローラと、前記ベルト上の回転軸方向における互いに異なる複数の領域を加熱する複数のヒータと、を備える定着装置における温度制御方法であって、
前記加熱ローラにおける前記複数のヒータの内の少なくとも２つによって加熱される領域の温度に関する温度情報を取得し、
前記複数のヒータそれぞれを交互に駆動するとともに、取得される前記温度情報に基づいて、前記複数の領域の内の第１の領域よりも温度が低い第２の領域を加熱するヒータの駆動時間を、前記第１の領域を加熱するヒータの駆動時間よりも長くする温度制御方法。
【発明の詳細な説明】
【技術分野】
【０００１】
本発明は、定着装置に関し、特に、ベルトや加熱ローラ等の加熱部材が回転軸方向における異なる複数の領域ごとに加熱される定着装置に関する。
【背景技術】
【０００２】
従来、定着装置において、ベルトや加熱ローラ等の加熱部材の回転軸方向における温度分布を略同じに維持することを可能とするために、複数のコイルを用いて加熱部材を加熱し、当該複数のコイルの電力量の配分を変更することにより、前記温度分布を略同じとする技術が知られている（例えば、特許文献１および２参照）。
【０００３】
しかし、個々のコイルに異なる周波数の電流が同時に供給されるため、干渉音が発生する問題がある。
【０００４】
また、複数のコイルに同時に電流を流すのではなく、複数のコイルのうちどちらか一方に電流を流して加熱部材を加熱する技術が知られている（例えば、特許文献３参照。）。また、複数のコイルのうちどちらか一方に電流を流して加熱部材を加熱する場合に、各コイルに電流を流す時間のタイミングを最小時間間隔以上とすることにより、より精密な温度制御を可能とする技術が存在する（例えば、特許文献４参照。）。
【発明の概要】
【発明が解決しようとする課題】
【０００５】
しかし、トナー像定着のための定着温度への立ち上がりを迅速にするとともに、定着装置のコンパクト化を実現するために、従来よりも熱容量の低減された加熱部材が用いられている。そのため、このような熱容量の低減された加熱部材の回転軸方向における温度分布の差を小さくするためには、従来の温度制御技術による場合は多大な時間を要する。
【０００６】
この発明の実施の形態は、従来よりも容易にベルトまたは加熱ローラ等の加熱部材の回転軸方向における温度分布を略一定とすることができる温度制御技術を提供することを目的とする。
【課題を解決するための手段】
【０００７】
上述した課題を解決するため、本発明の一態様は、加熱ローラと、前記加熱ローラの回転軸と平行な回転軸を中心として回転する張架ローラと、前記加熱ローラおよび前記張架ローラに巻架されるベルトと、前記ベルトと協働して、現像剤像が形成されたシートを挟持搬送するとともに、前記シートに前記現像剤像を加熱定着させる加圧ローラと、前記ベルト上の前記回転軸方向における互いに異なる複数の領域を加熱する複数のヒータと、前記ベルトにおける前記複数のヒータの内の少なくとも２つによって加熱される領域の温度に関する温度情報を取得する温度情報取得部と、前記複数のヒータそれぞれを交互に駆動するとともに、前記温度情報取得部にて取得される情報に基づいて、前記複数の領域の内の第１の領域よりも温度が低い第２の領域を加熱するヒータの駆動時間を、前記第１の領域を加熱するヒータの駆動時間よりも長くする加熱制御部と、を備える定着装置に関する。
【０００８】
また、本発明の別の態様は、加熱ローラと、前記加熱ローラと協働して、現像剤像が形成されたシートを挟持搬送するとともに、前記シートに前記現像剤像を加熱定着させる加圧ローラと、前記加熱ローラの回転軸方向における互いに異なる複数の領域を加熱する複数のヒータと、前記加熱ローラにおける前記複数のヒータの内の少なくとも２つによって加熱される領域の温度に関する温度情報を取得する温度情報取得部と、前記複数のヒータそれぞれを交互に駆動するとともに、前記温度情報取得部にて取得される情報に基づいて、前記複数の領域の内の第１の領域よりも温度が低い第２の領域を加熱するヒータの駆動時間を、前記第１の領域を加熱するヒータの駆動時間よりも長くする加熱制御部と、を備える定着装置に関する。
【０００９】
また、本発明の別の態様は、加熱ローラと、前記加熱ローラの回転軸と平行な回転軸を中心として回転する張架ローラと、前記加熱ローラおよび前記張架ローラに巻架されるベルトと、前記ベルトと協働して、現像剤像が形成されたシートを挟持搬送するとともに、前記シートに前記現像剤像を加熱定着させる加圧ローラと、前記ベルト上の回転軸方向における互いに異なる複数の領域を加熱する複数のヒータと、を備える定着装置における温度制御方法であって、前記加熱ローラにおける前記複数のヒータの内の少なくとも２つによって加熱される領域の温度に関する温度情報を取得し、前記複数のヒータそれぞれを交互に駆動するとともに、取得される前記温度情報に基づいて、前記複数の領域の内の第１の領域よりも温度が低い第２の領域を加熱するヒータの駆動時間を、前記第１の領域を加熱するヒータの駆動時間よりも長くする温度制御方法に関する。
【００１０】
また、本発明の別の態様は、加熱ローラと、前記加熱ローラの回転軸と平行な回転軸を中心として回転する張架ローラと、前記加熱ローラおよび前記張架ローラに巻架されるベルトと、前記ベルトと協働して、現像剤像が形成されたシートを挟持搬送するとともに、前記シートに前記現像剤像を加熱定着させる加圧ローラと、前記ベルト上の前記回転軸方向における互いに異なる複数の領域を加熱する複数のヒータと、を備える定着装置における温度制御をコンピュータに実行させる温度制御プログラムであって、前記ベルト上の前記複数のヒータの内の少なくとも２つによって加熱される領域の温度に関する温度情報を取得し、前記複数のヒータそれぞれを交互に駆動するとともに、取得される前記温度情報に基づいて、前記複数の領域の内の第１の領域よりも温度が低い第２の領域を加熱するヒータの駆動時間を、前記第１の領域を加熱するヒータの駆動時間よりも長くする処理をコンピュータに実行させる温度制御プログラムに関する。
【発明の効果】
【００１１】
以上に詳述したように、本発明によれば、ベルトまたは加熱ローラ等の加熱部材の回転軸方向における温度分布を略一定に保つことのできる定着装置を提供することができる。
【図面の簡単な説明】
【００１２】
【図１】本発明の第１の実施の形態の定着装置が画像形成装置に実装された場合の概略構成を示す縦断面図である。
【図２】本発明の第１の実施の形態の定着装置の概略構成を示す縦断面図である。
【図３】本発明の第１の実施の形態の定着装置のベルト回転軸方向の概略構成を示す正面図である。
【図４】本発明の第１の実施の形態の定着装置の温度検知、励磁コイルと発振回路（インバータ回路）の制御についての電気的な構成を示すブロック図である。
【図５】本発明の第１の実施の形態の定着装置の機能について説明するための機能ブロック図である。
【図６】本発明の第１の実施の形態の定着装置における、ウォームアップおよびレディ状態に対応した駆動制御テーブルである。
【図７】本発明の第１の実施の形態の定着装置における、通紙状態に対応した駆動制御テーブルである。
【図８】本発明の第１の実施の形態の定着装置が画像形成装置に実装された場合の、画像形成装置の動作状況に応じた励磁コイル駆動制御の処理を示すフローチャートである。
【図９】本発明の第１の実施の形態の定着装置が画像形成装置に実装された場合の、画像形成装置がウォームアップ状態であるときの励磁コイル駆動制御の処理を示すフローチャートである。
【図１０】本発明の第１の実施の形態の定着装置が画像形成装置に実装された場合の、画像形成装置の動作状況がレディ状態であるときの励磁コイルの電力量制御の処理を示すフローチャートである。
【図１１】本発明の第１の実施の形態の定着装置が画像形成装置に実装された場合の、画像形成装置の動作状況が通紙状態であるときの励磁コイルの電力量制御の処理を示すフローチャートである。
【図１２】本発明の第１の実施の形態の定着装置が画像形成装置に実装された場合の、画像形成装置の動作状況が通紙状態であるときの励磁コイル駆動制御の処理を示すフローチャートである。
【図１３】本発明の第２の実施の形態の定着装置が画像形成装置に実装された場合の、画像形成装置の動作状況に応じた励磁コイル駆動制御の処理を示すフローチャートである。
【図１４】本発明の第２の実施の形態の定着装置が画像形成装置に実装された場合の、画像形成装置の動作状況が通紙状態であり、搬送速度が１３５ｍ／ｓの場合の励磁コイル駆動制御の処理を示すフローチャートである。
【図１５】本発明の第２の実施の形態の定着装置における、搬送速度が１３５ｍ／ｓの場合に対応した駆動制御テーブルである。
【図１６】本発明の第３の実施の形態の定着装置が画像形成装置に実装された場合の、画像形成装置の動作状況に応じた励磁コイル駆動制御の処理を示すフローチャートである。
【図１７】本発明の第３の実施の形態の定着装置が画像形成装置に実装された場合の、画像形成装置が通紙状態にあり、小サイズシートが２０枚以上連続して通紙される場合に応じた励磁コイル駆動制御の処理を示すフローチャートである。
【図１８】本発明の第３の実施の形態の定着装置における、小サイズシートが２０枚以上連続して通紙される場合に対応した駆動制御テーブルである。
【図１９】本発明の第４の実施の形態の定着装置の機能について説明するための機能ブロック図である。
【図２０】本発明の第４の実施の形態の定着装置が画像形成装置に実装された場合の、画像形成装置の内部温度に応じた励磁コイル駆動制御の処理を示すフローチャートである。
【図２１】本発明の第４の実施の形態の定着装置が画像形成装置に実装された場合の、画像形成装置の内部温度が１０℃以下である場合に応じた励磁コイル駆動制御の処理を示すフローチャートである。
【図２２】本発明の第４の実施の形態の定着装置が画像形成装置に実装された場合の、画像形成装置の内部温度が１０℃より高い場合に応じた励磁コイル駆動制御の処理を示すフローチャートである。
【図２３】本発明の第４の実施の形態の定着装置における、画像形成装置の内部温度が１０℃以下である場合に対応した駆動制御テーブルである。
【図２４】本発明の第４の実施の形態の定着装置における、画像形成装置の内部温度が１０℃より高い場合に対応した駆動制御テーブルである。
【図２５】本発明の第５の実施の形態の定着装置のベルト回転軸方向の概略構成を示す正面図である。
【図２６】本発明の第５の実施の形態の定着装置のベルト回転軸方向の概略構成を示す正面図である。
【発明を実施するための形態】
【００１３】
以下、本発明の実施の形態について図面を参照しつつ説明する。
【００１４】
（第１の実施の形態）
まず、本発明の第１の実施の形態について説明する。
【００１５】
図１は、本発明の第１の実施の形態による定着装置が実装された画像形成装置（ＭＦＰ：Multi Function Peripheral）の概略構成を示す縦断面図である。
【００１６】
図１に示すように、本実施の形態による画像形成装置は、画像読取部Ｒと、画像形成部Ｐと、を備えている。
【００１７】
画像読取部Ｒは、シート原稿およびブック原稿の画像をスキャンして読み取る機能を有している。
【００１８】
画像形成部Ｐは、画像読取部Ｒにて原稿から読み取られた画像や外部機器から画像形成装置に送信された画像データ等に基づいて、シートに現像剤像を形成する機能を有している。
【００１９】
画像読取部Ｒは、原稿を所定の画像読取位置まで自動搬送可能な自動原稿搬送装置（ＡＤＦ：Auto Document Feeder）9を備えており、この自動原稿搬送装置９によって自動搬送される原稿や、原稿台に載置される原稿の画像を、走査光学系１０によって読み取る。
また、画像形成部Ｐは、ピックアップローラ６１〜６４、感光体２Ｙ〜２Ｋ、現像ローラ３Ｙ〜３Ｋ、ミキサ４Ｙ〜４Ｋ、中間転写ベルト６、定着装置７および排出トレイ８を備えている。
【００２０】
ＣＰＵ４５は、画像形成装置における各種処理を行う役割を有しており、またメモリ５４に格納されているプログラムを実行することにより種々の機能を実現する役割も有している。
【００２１】
メモリ５４は、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）等から構成されることができ、画像形成装置において利用される種々の情報やプログラムを格納する役割を有している。
【００２２】
以下、本実施の形態による定着装置の一例として、画像形成装置に実装された場合のコピー処理の概要について説明する。
【００２３】
まず、ピックアップローラ６１〜６４によりカセットからピックアップされたシートは、シート搬送路内に供給される。シート搬送路内に供給されたシートは、複数のローラ対によって所定の搬送方向へ向けて搬送される。
【００２４】
そして、自動原稿搬送装置９によって連続的に自動搬送される複数枚のシート原稿の画像が、所定の画像読取位置にて走査光学系１０によって読み取られる。
【００２５】
次に、画像読取部Ｒにて原稿から読み取られた画像の画像データに基づいて、イエロー（Ｙ）、マゼンタ（Ｍ）、シアン（Ｃ）およびブラック（Ｋ）の現像剤像をシートに転写するための感光体２Ｙ、２Ｍ、２Ｃおよび２Ｋの感光面上に静電潜像が形成される。
【００２６】
続いて、現像器におけるミキサ４Ｙ〜４Ｋ（攪拌部に相当）により攪拌された現像剤が、現像ローラ（いわゆる、マグローラ）３Ｙ〜３Ｋによって、上記のようにして静電潜像が形成された感光体２Ｙ〜２Ｋに供給される。これにより、感光体の感光面上に形成された静電潜像が顕像化される。
【００２７】
このようにして感光体上に形成された現像剤像は、中間転写ベルト６のベルト面上に転写され（いわゆる、一次転写）、中間転写ベルトの回転によって搬送される現像剤像は、所定の二次転写位置Ｔにて、搬送されるシート上に転写される。
シート上に転写された現像剤像は、定着装置７にてシートに対して加熱定着される。
【００２８】
現像剤象が加熱定着されたシートは、複数の搬送ローラ対によって搬送路内を搬送され、排出トレイ８上に順次排出される。
【００２９】
以下、本発明の第１の実施の形態による定着装置７の詳細について説明する。
図２は、本発明の題１の実施の形態による定着装置の具体的構成を示す断面図である。
【００３０】
定着装置７は、加熱ローラ１１（φ５０ｍｍ）と、加圧ローラ１２（φ５０ｍｍ）と、張架ローラ１３（φ１８ｍｍ）と、ベルト１４と、加熱部２１とを備える。
【００３１】
加圧ローラ１２は、駆動モータ（図示せず）により矢印方向に駆動される。加熱ローラ１１、張架ローラ１３、およびベルト１４は、従動で矢印方向に回転するようになっている。また、加圧ローラ１２は，加圧機構１５によってベルト１４を挟んで加熱ローラ１１に対して圧接され、一定のニップ幅を持つように維持されている。したがって、第１の実施の形態では加熱ローラ１１が直接シートと接触することのない構造となる。
【００３２】
張架ローラ１３は、加熱ローラ１１よりもシートの搬送方向下流側に配置され、加熱ローラ１１の回転軸と平行な回転軸を中心として回転する。ベルト１４は、テンション機構によって、加熱ローラ１１と張架ローラ１３の間で所定の張力で巻架されている。加熱部４８は、加熱ローラの外周上に配置され、ベルト１４を加熱する。
【００３３】
加熱ローラ１１は、内側から、芯金１１ａ、発泡ゴム（スポンジ）１１ｂで構成されている。第１の実施の形態では、芯金厚２ｍｍ、発泡ゴム厚を５ｍｍとしている。
【００３４】
ベルト１４は、内側から、金属導電層１４a、ソリッドゴム層１４b、離型層１４cの順に構成されている。第１の実施の形態では、金属導電層の材質としては、ニッケル(40μｍ)を用いているが、そのほか、ステンレス鋼、アルミ、ステンレス鋼とアルミの複合材等でも良い。第１の実施の形態では、ソリッドゴム層は、シリコンゴム200μmで構成され、また、離型層は、ＰＦＡチューブ30μmで構成されている。
【００３５】
加圧ローラ１２は、芯金の周囲にシリコンゴム、フツ素ゴム等を被覆して構成されている。
【００３６】
張架ローラ１３は、金属パイプ１３aの表面にコーティング層１３bで構成されている。金属パイプの材料として、本実施例ではアルミを用いているが、鉄、銅、ステンレス等でもよい。また、金属パイプの代わりにさらに熱伝導率のよいヒートパイプ等を用いてもよい。
【００３７】
これら加熱ローラ１１、ベルト１４と加圧ローラ１２との圧接部（ニップ部）である定着ポイントをシートＰが通過することで、このシート上の現像剤を融着圧着して定着するようになっている。
ベルト１４の周上には，ベルト１４と加圧ローラ１２との接触位置（ニップ部）よりも回転方向下流側に、シートＰをベルト１４のベルト面から剥離させる剥離用ブレード１６ａが設けられている。また、同様に、二ップ部よりも回転方向下流側に、シートＰを加圧ローラ１２から剥離させる剥離用ブレード１６ｂが設けられている。
【００３８】
また、第１の実施の形態では、張架ローラ１３上におけるベルト１４に近接するとともに、張架ローラ１３の回転軸方向における互いに異なる位置に、複数の非接触温度センサ１７（１７ａ，１７ｂ）が配置されている。なお、第１の実施の形態では、センサが２つ配置されている構成を例示しているが、３つでも複数でも良い。第１の実施の形態において、非接触温度センサ１７は赤外線を検知するサーモパイル式を用いている。非接触温度センサ１７、より具体的には、サーモパイル１７ａとサーモパイル１７ｂは、ベルト１４表面における複数の加熱対象領域の温度の検知を行う。
【００３９】
続いて、第１の実施形態により例示する加熱部２１の構成についてより具体的に説明する（図３）。
【００４０】
加熱部２１は、複数の励磁コイル（２１a、２１−１、２１−２）を備える誘導加熱部材である。
【００４１】
図３に示すように、加熱部２１は、電磁誘導を利用して加熱する誘導加熱式を用いている。加熱部２１においては、励磁コイル（電磁誘導コイル）を１回転軸方向において３つの領域に分割し、中央コイル２１a以外の端部コイル２１−１および２１−２は直列に接続されている。以下、端部コイル２１−１、２１−２を、端部コイル２１ｂとして記述する。
【００４２】
上記コイル２１a、２１ｂは、磁性体コア２２を使って磁場を強化し、電線の巻き数を減らしていても性能を発揮できるようにしている。
また、このコイル形状によって、磁束を集中させることができ、ベルト１４を局部的に集中して加熱する構成となっている。
【００４３】
第１の実施の形態では、この複数のコイル２１a、２１ｂを交互に駆動することで（いわゆる交互点灯）、ベルト１４を加熱する。コイルの駆動については後述する。
【００４４】
励磁コイルの構成について、より具体的に説明する。励磁コイル２１a、２１ｂは、線径０．５ｍｍの銅線材を用いており、お互いに絶縁された線材を複数本束ねたリッツ線として構成されている。リッツ線にすることで浸透深さより線径を小さくすることができ、交流電流を有効に流すことが可能となる。第１の実施の形態では、φ０．５ｍｍの線材を１６本束ねている。コイルの被覆線には、耐熱性のポリアミドイミドを用いている。
【００４５】
第１の実施の形態においては、図示しない励磁回路（インバータ回路）から励磁コイル２１a、２１ｂに印加される高周波電流で発生する磁束によって、磁界の変化を妨げるように、ベルト１４に磁束と渦電流を発生させる。この渦電流と加熱ローラ抵抗によってジュール熱が発生し、ベルト１４が加熱される。第１の実施の形態では、励磁コイル２１a、２１ｂに周波数２０〜１００ｋＨｚの範囲で高周波数の電流を流すようにしている。また、出力は、インバータ回路の駆動周波数を変更することで、２００Ｗ〜１５００Ｗまで可変にすることが可能となっている。
【００４６】
励磁コイル２１a、２１ｂは、ベルト１４における複数の加熱対象領域をそれぞれ加熱している。本明細書では、励磁コイル２１aにより加熱される領域を「中央部」と、また、励磁コイル２１ｂにより加熱される領域を「端部」と称す。すなわち、コイル２１aを駆動した際は、ベルト１４の中央部に渦電流が発生してジュール熱によって加熱され、温度が上昇する。一方、コイル２１ｂを駆動した際は、ベルト１４の端部に渦電流が発生してジュール熱によって加熱され、温度が上昇する。
【００４７】
第１の実施の形態においては、温度センサであるサーモパイル１７ａとサーモパイル１７ｂにおける検知温度によって、コイル２１aとコイル２１ｂとが選択的に切り替えられて駆動され、ベルト１４を昇温させて定着のための制御温度が維持される。
また、加熱する際、通常、ベルト１４は、加圧ローラ１２、加熱ローラ１１、張架ローラ１３とともに回転駆動されている。
【００４８】
図４は、温度検知、励磁コイルと発振回路（インバータ回路）の制御方法について電気的な構成の概略を示すものである。
【００４９】
第１の実施の形態においては、図１で示した励磁コイル２１a、２１ｂに、それぞれ共振用のコンデンサ３１、３２が並列に接続され、この共振回路にスイッチング素子３３，３４が接続されてインバータ回路を構成している。スイッチング素子３３，３４は、高耐圧、大電流で使用されるＩＧＢＴ（Insulated Gate Bipolar Transistor）やＭＯＳ−ＦＥＴなどが用いられる。第１の実施の形態ではＩＧＢＴを使用している。
【００５０】
上述したインバータ回路には、商用交流電源３５を整流回路３６によって平滑化した直流電力が供給される。また、整流回路３６の前段階にはトランス３７が配置され、入力検知部３７ａを介して全消費電力が検出可能となっており、この電力検知によって電力がフィードバックされている。
【００５１】
スイッチング素子３３，３４の制御端子には、それぞれ駆動回路３８，３９が接続されている。駆動回路（３８，３９）は、駆動電圧をスイッチング素子（３３，３４）の制御端子に印加して、スイッチング素子をオンさせるものである。制御回路４１，４２は、その印加するタイミングを出力するものである。オン時間を制御して、周波数を２０〜１００ｋＨｚの範囲で可変させて、出力値を可変している。
【００５２】
コイル２１a、２１ｂで加熱される被加熱物（第１の実施の形態では、ベルト１４）には、上述したように温度を検知するサーモパイル１７ａ、１７ｂがそれぞれ配置されており、サーモパイルでの温度検出信号（電圧値）がＣＰＵ４５に入力される。サーモパイル１７ａ、１７ｂの値に応じて、ＣＰＵ４５は、どのコイル（２１aまたは２１ｂ）を駆動するか、すべてのコイル（２１aと２１ｂ）をオフにするか、出力値をどの値とするかといった命令を制御回路４１，４２に送る。
【００５３】
続いて、第１の実施の形態の定着装置の励磁コイルの駆動制御に係る機能について、図５を用いて説明する。なお、図５に示す機能ブロック図におけるブロックの機能は、例えばメモリ５４に格納されている各種プログラムを、ＣＰＵ４５にて実行させることにより、実現される。
【００５４】
図５に示すように、第１の実施の形態の定着装置の励磁コイルの駆動制御は、温度情報取得部５１と、加熱制御部５２と、動作情報取得部５３と、により行われている。
【００５５】
温度情報取得部５１は、サーモパイル１７、より具体的にはベルト１４の中央部における温度を検知するサーモパイル１７ａと端部における温度を検知するサーモパイル１７ｂにおいて検知されたベルト１４の温度を温度情報として取得し、加熱制御部５２に送出する。
【００５６】
動作情報取得部５３は、第１の実施の形態による定着装置７が実装された画像形成装置１のウォームアップ状態、レディ状態、または通紙状態などの動作状況に関する情報を画像形成装置１内部もしくは画像形成装置１外部から取得し、加熱制御部５２に送出する。
【００５７】
メモリ５４には、励磁コイル２１aによって加熱されるベルト１４の中央部と、励磁コイル２１ｂ（２１−１および２１−２）によって加熱されるベルト１４の端部との温度差および画像形成装置の動作状況に対応付けられた、励磁コイルの駆動時間に関する駆動制御テーブルが格納されている。当該駆動制御テーブルの一例である、画像制御装置がウォームアップおよびレディ状態にあるときの駆動制御テーブルを図６に示し、通紙状態にあるときの駆動制御テーブルを図７に示す。
【００５８】
加熱制御部５２は、温度情報取得部５１から取得した温度情報、および動作情報取得部５３から取得した画像形成装置１の動作状況に関する情報に基づいて、加熱部２１の励磁コイル２１a、２１ｂの駆動を制御することにより、ベルトの回転軸方向における温度を制御する。具体的には、加熱部２１の励磁コイル２１a、２１ｂそれぞれを交互に駆動するとともに、温度情報取得部５１にて取得される温度情報に基づき、ベルト１４表面における第１の領域（中央部および端部のうちのいずれか一方）よりも温度が低い第２の領域（中央部および端部の内のいずれか他方）を加熱する励磁コイルの駆動時間を、第１の領域を加熱する励磁コイルの駆動時間よりも長くする。
【００５９】
加熱制御部５２の温度制御の例について、より具体的に説明する。加熱制御部５２はまず、動作情報取得部５３から取得した画像形成装置１の動作状況に関する情報に基づき、画像形成装置１の動作状況を判定する。次に、加熱制御部５２は、温度情報取得部５１から取得した温度情報に基づき、ベルト１４の第１の領域および第２の領域の温度差を演算する。続いて加熱制御部５２は、演算された当該温度差と、画像形成装置の動作状況に基づき、メモリ５４の駆動制御テーブルを参照して、第１および第２の領域を加熱する各励磁コイルの駆動時間として設定されている複数通りの駆動時間のうち、当該温度差と動作状況に対応付けられている駆動時間を、第１および第２の領域を加熱する各励磁コイルの駆動時間として選択する。
【００６０】
ここで、第１の実施の形態においては、ベルト１４表面における第１の領域よりも温度が低い第２の領域を加熱する励磁コイルの複数通りの駆動時間について、それぞれが対応づけられている動作状況がベルト１４上での回転軸方向における複数の領域間での温度差を発生させる度合いが大きいものであるほど、第２の領域を加熱する励磁コイルの駆動時間を長くする。例えば、通紙状態では、ウォームアップおよびレディ状態のときに比べ、温度差を発生させる度合いが大きい。したがって、図６および図７に示すように、温度差が同じ範囲にある場合でも、通紙状態に対応した第２の領域を加熱する励磁コイルの駆動時間を、ウォームアップおよびレディ状態である場合に対応した第２の領域を加熱する励磁コイルの駆動時間よりも長くすることが好ましい。
【００６１】
このように温度が低い領域を加熱する励磁コイルの駆動時間を、通紙状態である場合にはウォームアップおよびレディ状態である場合よりも長くすることについて、より詳細に説明する。
【００６２】
通紙中は、定着装置７において、ベルト１４の回転軸方向における奪われる熱量の割合は、定着、搬送が行われるシートのサイズに応じて、大きく変化することがある。すなわち、Ａ４Ｒ，Ａ５，Ｂ５等の回転軸方向におけるベルト１４の幅よりも大幅に小さいシートが通紙される場合は、ベルト１４上での熱の奪われ方が、中央部と端部とで異なる。
【００６３】
より具体的に説明すると、回転軸方向において相対的に小さなＡ４Ｒ，Ｂ５，Ａ５等は、通紙領域であるベルト１４の回転軸方向における中央部としか接触しない。そのため、端部と比較して中央部の温度が低くなりやすい。また、ベルト１４における端部の温度は後述する制御温度よりも温度が高くなる傾向がある。
【００６４】
したがって、画像形成装置１が通紙状態であるときに、ウォームアップおよびレディ状態に対応した駆動制御テーブルを用いても、温度差はむしろ広がってしまう。
【００６５】
このため、第１の実施の形態においては、通紙状態に対応した駆動時間を、ウォームアップおよびレディ状態に対応した駆動時間よりも長くしている。また、第１の実施の形態においては、通紙状態に対応した駆動制御テーブルにおいて、温度差が２０℃以上になったときの駆動時間を設定している。
【００６６】
これにより、小サイズシートが通紙される場合でもベルト１４の回転軸方向における温度分布を略一定に保つことが可能となる。
【００６７】
続いて、第１の実施の形態による定着装置７の処理フローチャートの一例について説明する。
【００６８】
加熱制御部５２は、画像形成装置１の動作状況に応じて、メモリ５４に格納されたどの駆動制御テーブルに基づいて加熱部２１の励磁コイル２１a、２１bの駆動制御を行うのか、判定する。
【００６９】
具体的には、図８に示すように、Ａｃｔ１０１において、加熱制御部５２は、動作情報取得部５３から取得した画像形成装置１の動作状況に関する情報に基づき、画像形成装置１の動作状況がウォームアップ状態であるか否か判定する。ウォームアップ状態である場合、加熱制御部５２は（１）に進み、図９に示したフローチャートの処理に基づき、ウォームアップおよびレディ状態に対応した駆動制御テーブルを用いて加熱部２１の励磁コイル２１a、２１bの駆動制御を行う。
【００７０】
また、画像形成装置の動作状況がＡｃｔ１０１でウォームアップ状態ではないと判定されたとき、Ａｃｔ１０２において、加熱制御部５２は、動作情報取得部５３から取得した画像形成装置１の動作状況に関する情報に基づき、画像形成装置１の動作状況がレディ状態であるか否か判定する。レディ状態である場合、加熱制御部５２は（２）に進み、図９に示したフローチャートの処理に基づき、ウォームアップおよびレディ状態に対応した駆動制御テーブルを用いて加熱部２１の励磁コイル２１a、２１bの駆動制御を行う。
【００７１】
一方、画像形成装置１の動作状況がＡｃｔ１０２でレディ状態ではないと判定されたとき、加熱制御部５２は（３）に進み、画像形成装置１が通紙状態にあると判定して、図１２に示したフローチャートの処理に基づき、通紙状態に対応した駆動制御テーブルを用いて加熱部２１の励磁コイル２１a、２１bの駆動制御を行う。
【００７２】
次に、画像形成装置１の動作状況がウォームアップ状態であるときの加熱部２１の励磁コイル２１a、２１bの駆動制御について、図９を用いて詳細に説明する。
【００７３】
最初に、Ａｃｔ２０１において、温度情報取得部５１は、サーモパイル１７ａ、１７ｂで検知されたベルト１４の温度を温度情報として取得し、加熱制御部５２に送出する。Ａｃｔ２０２において、温度情報取得部５１が取得した温度情報に基づき、加熱制御部５２は、サーモパイル１７ａ、１７ｂで検知されたベルト１４の温度が制御温度（第１の実施の形態では１６０℃）に到達しているか否かを判定する。第１の実施の形態では、温度の検出は、ＣＰＵ４５にて、２００（ｍｓ）ごとに実行されている。
【００７４】
この時点で１６０℃を超えていれば、画像形成装置１はウォームアップ状態を終了し、レディに入る（リターン）。
【００７５】
Ａｃｔ２０２で１６０℃を超えていない場合、加熱制御部５２は、まずＡｃｔ２０３において、加熱部２１の出力を１３００Ｗに設定する。次に、Ａｃｔ２０４において、加熱制御部５２は、ベルト１４の温度情報に基づき、サーモパイル１７ａ、１７ｂで検知されたベルト１４の中央部と端部の温度比較を実行する。続いて、加熱制御部５２は、温度比較結果に基づき、駆動制御テーブルに設定された温度差ごとの駆動時間を選択して、加熱部２１の励磁コイル２１a、２１bの駆動制御を行う。
【００７６】
具体的には、図６の駆動制御テーブルに基づき、以下のようにして処理を行うようにすることができる。
【００７７】
まず、加熱制御部５２は、Ａｃｔ２０４においてベルト１４の中央部と端部の温度差が５℃以下であるか否か判定する。５℃以下である場合、加熱制御部５２は、加熱部２１の励磁コイル２１a、２１ｂをそれぞれ２０ｍｓずつ交互に駆動する（Ａｃｔ２０５）。次に、加熱制御部５２は、Ａｃｔ２０１に戻り、Ａｃｔ２０２においてベルト１４の温度が１６０℃に到達していると判定されるまで、処理を繰り返す。
【００７８】
Ａｃｔ２０４において、ベルト１４の中央部と端部の温度差が５℃より大きいと判定されたとき、加熱制御部５２は、Ａｃｔ２０６に進み、ベルト１４の中央部と端部の温度差が５〜１０℃であるか否か判定する。５〜１０℃である場合、加熱制御部５２は、加熱部２１の励磁コイル２１a、２１ｂのうち、温度が低いと判定された側（第１の実施の形態では中央部および端部の内のいずれか一方であって、第２の領域に相当）を加熱する励磁コイルを４０ｍｓ駆動する。また、温度が高いと判定された側（第１の実施の形態では中央部および端部の内のいずれか他方であって、第１の領域に相当）を加熱する励磁コイルを２０ｍｓ駆動する（Ａｃｔ２０７）。次に、加熱制御部５２は、Ａｃｔ２０１に戻り、Ａｃｔ２０２においてベルト１４の温度が１６０℃に到達していると判定されるまで、処理を繰り返す。
【００７９】
Ａｃｔ２０６において、ベルト１４の中央部と端部の温度差が１０℃より大きいと判定されたとき、加熱制御部５２は、Ａｃｔ２０８に進み、ベルト１４の中央部と端部の温度差が１０〜１５℃であるか否か判定する。１０〜１５℃である場合、加熱制御部５２は、加熱部２１の励磁コイル２１a、２１ｂのうち、温度が低いと判定された側を加熱する励磁コイルを６０ｍｓ駆動する（Ａｃｔ２０９）。また、温度が高いと判定された側を加熱する励磁コイルを２０ｍｓ駆動する（Ａｃｔ２０９）。このとき、ベルト１４を加熱する加熱部２１の励磁コイル２１a、コイル２１ｂの駆動は交互に行われる。次に、温度情報取得部５１は、ベルト１４の温度情報を取得する（Ａｃｔ２１０）。続いて、取得した温度情報に基づき、加熱制御部５２は、ベルト１４の中央部と端部の温度差が５℃以下であるか否かを判定する（Ａｃｔ２１１）。中央部と端部の温度差が５℃より大きい場合、加熱制御部５２は、Ａｃｔ２０９に戻って処理を繰り返す。一方、中央部と端部の温度差が５℃以下と判定されたとき、加熱制御部５２は、Ａｃｔ２０１に戻り、Ａｃｔ２０２においてベルト１４の温度が１６０℃に到達していると判定されるまで、処理を繰り返す。
【００８０】
また、Ａｃｔ２０８において、ベルト１４の中央部と端部の温度差が１５℃より大きいと判定されたとき、加熱制御部５２は、加熱部２１の励磁コイル２１a、２１ｂのうち、温度が低いと判定された側を加熱する励磁コイルを８０ｍｓ駆動する（Ａｃｔ２１２）。また、温度が高いと判定された側を加熱する励磁コイルを２０ｍｓ駆動する（Ａｃｔ２１２）。次に、温度情報取得部５１は、ベルト１４の温度情報を取得する（Ａｃｔ２１３）。続いて、加熱制御部５２は、取得した温度情報に基づき、ベルト１４の中央部と端部の温度差が５℃以下であるか否かを判定する（Ａｃｔ２１４）。ベルト１４の中央部と端部の温度差が５℃より大きい場合、加熱制御部５２は、Ａｃｔ２１２に戻って処理を繰り返す。一方、中央部と端部の温度差が５℃以下と判定されたとき、加熱制御部５２は、Ａｃｔ２０１に戻り、Ａｃｔ２０２においてベルト１４の温度が１６０℃に到達していると判定されるまで、処理を繰り返す。
【００８１】
以上に記載した処理を行った結果、ベルト１４の温度が１６０℃を超えたとき、画像形成装置１は、ウォームアップ状態を終了し、動作状況をレディに移行する（リターン）。
【００８２】
続いて、画像形成装置の動作状況がレディ状態であるときの加熱部２１の励磁コイル２１a、２１bの電力制御の処理の流れを示すフローチャートについて、図１０を用いて説明する。
【００８３】
第１の実施の形態による定着装置７は、画像形成装置１がレディ状態である場合、ウォームアップ状態と同じ駆動制御テーブルを使用する。
【００８４】
ウォームアップ状態との違いは、レディ状態であるときには、制御温度（１６０℃）を維持するように、ＣＰＵ４５は、両方の制御回路４１，４２に電力（出力）を低下する命令を送出する。すなわちスイッチング素子のＯＮ時間を短くして電力を低下させて、１６０℃以下となるようにコントロールする。
【００８５】
加熱部２１の出力については、ウォームアップ状態の場合は中央コイルおよび端部コイルが１３００Ｗで加熱する周波数で駆動されるが、レディ状態の場合はMAX７００Ｗで加熱する周波数で駆動される。これは、レディ状態中は、すでに制御温度（１６０℃）に到達しており、多くの熱量を必要としないため、７００Ｗ以下に制限している。160℃に維持するためには、徐々に電力を落とす。最小出力２００Wになっても中央部、端部が１６０℃を超えた場合は、ＯＦＦする。
【００８６】
第１の実施の形態による電力を可変するフローチャートの一例を図１０に示す。
【００８７】
Ａｃｔ３０１において、ＣＰＵ４５は、まず、加熱部２１の励磁コイル２１a、２１ｂの出力電力を７００Ｗに設定する。続いて、ＣＰＵ４５は、Ａｃｔ３０２において、サーモパイル１７a、１７ｂが検知したベルト１４の中央部および端部における温度を取得し、ベルト１４の温度が１６０℃より高いか否か、判定する。
【００８８】
Ａｃｔ３０３において１６０℃以下と判定されたとき、ＣＰＵ４５は、Ａｃｔ３０４に進み、電力量が最大出力である７００Ｗであるか否か判定する。
【００８９】
Ａｃｔ３０４において電力量が７００Ｗでないと判定された場合、ＣＰＵ４５は、Ａｃｔ３０５に進み、電力量を所定値分（例えば１００Ｗ）上げる。そしてＡｃｔ３０２に戻り、処理を繰り返す。
【００９０】
一方、Ａｃｔ３０４において電力量が７００Ｗであると判定された場合、ＣＰＵ４５は、Ａｃｔ３０６に進み、電力量を７００Ｗに維持する。そして、Ａｃｔ３０２に戻り処理を繰り返す。
【００９１】
また、Ａｃｔ３０３において、ベルト１４の温度が１６０℃より高いと判定されたとき、ＣＰＵ４５は、Ａｃｔ３０７に進み、電力量が最小出力の２００Ｗであるか否か判定する。
【００９２】
Ａｃｔ３０７において電力量が２００Ｗでないと判定された場合、ＣＰＵ４５は、Ａｃｔ３０８に進み、電力量を所定値分（例えば１００Ｗ）下げる。そしてＡｃｔ３０２に戻り、処理を繰り返す。
【００９３】
一方、Ａｃｔ３０７において電力量が２００Ｗであると判定された場合、ＣＰＵ４５は、Ａｃｔ３０９に進み、励磁コイル２１a、２１bの電源をＯＦＦとする。そして、Ａｃｔ３０２に戻り処理を繰り返す。
【００９４】
第１の実施の形態において、ＣＰＵ４５は、励磁コイル２１aと励磁コイル２１ｂとの駆動を切り替えるタイミングを、商用交流電源の電圧が０ボルトになったタイミングとしている。０ボルトで切り替えることで、励磁コイルに急激な電圧、電流がかかることがなくなるので、加熱ローラ１１が振動するといった現象をなくすことができる。また、インバータ回路のスイッチング損失も低減することができる。
【００９５】
上記、ウォームアップおよびレディ状態においては、通紙を行わないため、シートに熱を奪われることはない。したがって、シートのサイズに起因してベルト１４の回転軸方向における温度分布が変化することはなく、比較的ローラ回転軸方向全体から熱が奪われることが多い。このため、ベルト１４の中央部と端部で大きな温度差ができることは少ない。よって、ウォームアップおよびレディ状態に対応する駆動制御テーブルにおいて設定される駆動時間は、上記で示した４種類としている。逆にさらに大きな比率差（例えば、20mＳと１１0ms）で駆動時間を設定すると、中央部、端部での温度差の変動が大きくなる可能性がある。
【００９６】
これは、励磁コイル駆動の切り替え時間に対して温度検知時間が長いため、温度検知と駆動でタイムラグが発生し、温度差をリアルタイムで検知できず、少し遅れる場合があるためである。このことから、少なくとも駆動制御テーブルに設定される駆動時間を上記の４種類にすることで大きな変化がないようにしている。
【００９７】
また、温度差があるときでも必ず、ベルト１４の温度の高い側も加熱するようにしている。これも、温度検知手段（サーモパイル）の温度応答性能と励磁コイルの切り替えタイミングがずれると一方を加熱するモードが増えて温度差がついてしまう場合があるからである。ローラ熱容量が小さくなればなるほど、温度リップルが大きくなる可能性が高いため、励磁コイル２１a、２１ｂの切り替え時間をなるべく細かくし、さらに一方の励磁コイルだけを駆動する時間を制限してあげることで、ローラ回転軸方向の温度分布変動を低減させることができた。
【００９８】
次に通紙状態にある場合の加熱部２１の励磁コイル２１a、２１bの電力制御の例について説明する。通紙状態の場合もウォームアップおよびレディ状態同様、サーモパイル１７ａ、サーモパイル１７ｂにおいてベルト１４の温度を検知する。第１の実施の形態では、温度の検出は、ＣＰＵ４５にて、２００（ｍｓ）ごとに実行されている。
【００９９】
通紙状態における電力は最大1100Ｗに設定している。ウォームアップ状態よりも各種モータ、その他ファンなどが使われるため、定着処理で使用する電力を少し下げている。
【０１００】
第１の実施の形態において、制御温度は１６０℃であり、ベルト１４の中央部、端部ともに１６０℃を超えた場合は、電力を徐々に下げて温度制御を行う。また、１６０℃以下であるときは、後述する励磁コイル２１a、２１ｂの駆動制御と併せて、コイル２１a、２１ｂの電力を変化させる（電力制御のフローチャートを図１１に示す）。
【０１０１】
図１１に示すように、Ａｃｔ４０１において、ＣＰＵ４５は、まず、加熱部２１の励磁コイル２１a、２１ｂの出力電力を１１００Ｗに設定する。続いて、ＣＰＵ４５は、Ａｃｔ４０２において、サーモパイル１７a、１７ｂが検知したベルト１４の中央部、端部の温度を取得し、次に、ベルト１４の温度が１６０℃より高いか否か、判定する（Ａｃｔ４０３）。
【０１０２】
１６０℃以下であると判定されたとき、ＣＰＵ４５は、Ａｃｔ４０４に進み、電力量が最大出力の１１００Ｗであるか否か判定する。
【０１０３】
Ａｃｔ４０４において１１００Ｗでないと判定された場合、ＣＰＵ４５は、Ａｃｔ４０５に進み、電力量を所定値分（例えば１００Ｗ）上げる。そしてＡｃｔ４０２に戻り、処理を繰り返す。
【０１０４】
一方、Ａｃｔ４０４において１１００Ｗであると判定された場合、ＣＰＵ４５は、Ａｃｔ４０６に進み、電力量を１１００Ｗに維持する。そして、Ａｃｔ４０２に戻り処理を繰り返す。
【０１０５】
また、Ａｃｔ４０３において、ベルト１４の温度が１６０℃より高いと判定されたとき、ＣＰＵ４５は、Ａｃｔ４０７に進み、電力量が最小出力の２００Ｗであるか否か判定する。
【０１０６】
Ａｃｔ４０７において２００Ｗでないと判定された場合、ＣＰＵ４５は、Ａｃｔ４０８に進み、電力量を所定値分（例えば１００Ｗ）下げる。そしてＡｃｔ４０２に戻り、処理を繰り返す。
【０１０７】
一方、Ａｃｔ４０７において２００Ｗであると判定された場合、ＣＰＵ４５は、Ａｃｔ４０９に進み、コイル２１a、２１bの電源をＯＦＦとする。そして、Ａｃｔ４０２に戻り処理を繰り返す。
【０１０８】
次に通紙状態である場合の、加熱部２１の励磁コイル２１a、２１bの駆動制御について図１２を用いて詳細に説明する。なお、第１の実施の形態では、図１１に示すフローチャートにおけるＡｃｔ４０１〜Ａｃｔ４０６は、図１２に示すフローチャートにおけるＡｃｔ５０１〜Ａｃｔ５０３に対応するものである。
【０１０９】
最初に、Ａｃｔ５０１において、温度情報取得部５１は、サーモパイル１７ａ、１７ｂで検知されたベルト１４の温度を温度情報として取得し、加熱制御部５２に送出する。加熱制御部５２は、Ａｃｔ５０２において、温度情報取得部５１が取得した温度情報に基づき、サーモパイル１７ａ、１７ｂで検知されたベルト１４の温度が制御温度（１６０℃）に到達しているか否かを確認する。
【０１１０】
Ａｃｔ５０２で１６０℃以下と判定されたとき、加熱制御部５２は、まずＡｃｔ５０３において、加熱部２１の出力を１１００Ｗに設定する。次に、Ａｃｔ５０４において、加熱制御部５２は、ベルト１４の温度情報に基づき、サーモパイル１７ａ、１７ｂで検知されたベルト１４の中央部と端部の温度比較を実行する。続いて、加熱制御部５２は、当該温度比較結果に基づき、通紙状態に対応した駆動制御テーブル（図７）に設定された温度差ごとの駆動時間を選択して加熱部２１の励磁コイルの制御を行う。当該通紙状態に対応した駆動制御テーブルでは、中央部と端部の温度差が１０℃より大きいとき、温度が低いほうの領域を加熱する励磁コイルの駆動時間がウォームアップおよびレディ状態に対応した駆動制御テーブルよりも長く設定されている。
【０１１１】
具体的には、図７の駆動制御テーブルに基づき、以下のようにして処理を行うようにすることができる。
【０１１２】
まず、加熱制御部５２は、Ａｃｔ５０４においてベルト１４の中央部と端部の温度差が５℃以下であるか否か判定する。５℃以下である場合、加熱制御部５２は、加熱部２１のコイル２１a、２１ｂをそれぞれ２０ｍｓずつ駆動する（Ａｃｔ５０５）。次に、Ａｃｔ５０１に戻り、Ａｃｔ５０２においてベルト１４の温度が１６０℃に到達していると判定されるまで、処理を繰り返す。
【０１１３】
Ａｃｔ５０４において、ベルト１４の中央部と端部の温度差が５℃より大きいと判定されたとき、加熱制御部５２はＡｃｔ５０６に進み、ベルト１４の中央部と端部の温度差が５〜１０℃であるか否か判定する。５〜１０℃である場合、加熱制御部５２は、加熱部２１のコイル２１a、２１ｂのうち、温度が低いと判定された側を加熱する励磁コイルを４０ｍｓ駆動する。また、温度が高いと判定された側を加熱する励磁コイルを２０ｍｓ駆動する（Ａｃｔ５０７）。次に、Ａｃｔ５０１に戻り、Ａｃｔ５０２においてベルト１４の温度が１６０℃に到達していると判定されるまで、処理を繰り返す。
【０１１４】
Ａｃｔ５０６において、ベルト１４の中央部と端部の温度差が１０℃より大きいと判定されたとき、加熱制御部５２はＡｃｔ５０８に進み、ベルト１４の中央部と端部の温度差が１０〜１５℃であるか否か判定する。１０〜１５℃である場合、加熱制御部５２は、加熱部２１の励磁コイル２１a、２１ｂのうち、温度が低いと判定された側を加熱する励磁コイルを８０ｍｓ駆動する（Ａｃｔ５０９）。また、温度が高いと判定された側を加熱する励磁コイルを２０ｍｓ駆動する（Ａｃｔ５０９）。次に、温度情報取得部５１は、ベルト１４の温度情報を取得する（Ａｃｔ５１０）。続いて、取得した温度情報に基づき、加熱制御部５２は、中央部と端部の温度差が５℃以下であるか否かを判定する（Ａｃｔ５１１）。中央部と端部の温度差が５℃より大きい場合、加熱制御部５２は、Ａｃｔ５０９に戻って処理を繰り返す。一方、中央部と端部の温度差が５℃以下と判定されたとき、加熱制御部５２は、Ａｃｔ５０１に戻り、Ａｃｔ５０２においてベルト１４の温度が１６０℃に到達していると判定されるまで、処理を繰り返す。
【０１１５】
Ａｃｔ５１２において、ベルト１４の中央部と端部の温度差が１５℃より大きいと判定されたとき、加熱制御部５２はＡｃｔ５１２に進み、ベルト１４の中央部と端部の温度差が１５〜２０℃であるか否か判定する。１５〜２０℃である場合、加熱制御部５２は、加熱部２１の励磁コイル２１a、２１ｂのうち、温度が低いと判定された側を加熱する励磁コイルを１２０ｍｓ駆動する（Ａｃｔ５１３）。また、温度が高いと判定された側を加熱する励磁コイルを２０ｍｓ駆動する（Ａｃｔ５１３）。次に、温度情報取得部５１は、ベルト１４の温度情報を取得する（Ａｃｔ５１４）。続いて、取得した温度情報に基づき、加熱制御部５２は、中央部と端部の温度差が５℃以下であるか否かを判定する（Ａｃｔ５１５）。中央部と端部の温度差が５℃より大きい場合、加熱制御部５２は、Ａｃｔ５１３に戻って処理を繰り返す。一方、中央部と端部の温度差が５℃以下と判定されたとき、加熱制御部５２は、Ａｃｔ５０１に戻り、Ａｃｔ５０２においてベルト１４の温度が１６０℃に到達していると判定されるまで、処理を繰り返す。
【０１１６】
また、Ａｃｔ５１２において、ベルト１４の中央部と端部の温度差が２０℃より大きいと判定されたとき、加熱制御部５２は、加熱部２１の励磁コイル２１a、２１ｂのうち、温度が低いと判定された側を加熱する励磁コイルを１６０ｍｓ駆動する（Ａｃｔ５１６）。また、温度が高いと判定された側を加熱する励磁コイルを２０ｍｓ駆動する（Ａｃｔ５１６）。次に、温度情報取得部５１は、ベルト１４の温度情報を取得する（Ａｃｔ５１７）。続いて、取得した温度情報に基づき、加熱制御部５２は、中央部と端部の温度差が５℃以下であるか否かを判定する（Ａｃｔ５１８）。中央部と端部の温度差が５℃より大きい場合、加熱制御部５２は、Ａｃｔ５１６に戻って処理を繰り返す。一方、中央部と端部の温度差が５℃以下と判定されたとき、加熱制御部５２は、Ａｃｔ５０１に戻り、Ａｃｔ５０２においてベルト１４の温度が１６０℃に到達していると判定されるまで、処理を繰り返す。
【０１１７】
以上に記載した処理を行った結果、通紙状態のような、ウォームアップおよびレディ状態の場合よりもベルト１４の回転軸方向における温度分布が不均一となりやすい場合であっても、当該温度分布を略一定に保つことができる。
【０１１８】
以上のように、第１の実施の形態では、ベルト１４の複数の領域の内の第１の領域よりも温度が低い第２の領域を加熱するヒータ（励磁コイル）の駆動時間を、前記第１の領域を加熱するヒータの駆動時間よりも長くしている。これにより、従来よりも容易にベルト上の回転軸方向における温度分布を略一定とすることができる。
【０１１９】
また、ベルト上の回転軸方向における温度分布の温度差とともに画像形成装置の動作状況に応じて、ヒータの駆動時間を選択することとしている。これにより、ベルト上の回転軸方向における温度分布をより略均一に制御することができるようになる。
【０１２０】
また、温度検知手段（サーモパイル）の熱応答時間とベルトの昇温との間でタイムラグが発生しても、温度検知のタイミング（２００ｍｓ）よりも細かく第１の領域、および第２の領域を加熱するヒータの駆動時間を切り替えて温度制御をしているため、大きな温度差が発生しにくくなるように制御することを可能としている。
【０１２１】
（第２の実施の形態）
本発明の第２の実施の形態においては、加熱制御部５２は、第１の実施の形態の説明で例示した励磁コイル２１a、２１ｂの駆動制御に加えて、シートの搬送速度を小さくした場合にも応じた励磁コイル２１a、２１ｂの駆動制御を行うように構成されている。
【０１２２】
すなわち、第２の実施の形態においては、通紙されるシートの種類に応じて、画像形成装置１は、搬送速度を変化させる構成としている。例えば、厚紙や光沢紙が通紙されるとき、通常のシートの通紙状態（例えば２７０ｍｍ／ｓ）よりも搬送速度を小さくする（例えば１３５ｍｍ／ｓ）。このように搬送速度を変化させると回転するベルト１４が励磁コイルと接近する時間も変化する。すなわち、搬送速度が遅くなるとベルト１４が励磁コイルから受ける熱量も大きくなる。
【０１２３】
そのため、例えば厚紙や光沢紙が通紙されるときに、通常のシートの通紙状態と同じ駆動制御テーブルに基づいて励磁コイルの駆動制御が行われた場合、ベルト１４の回転軸方向における複数の領域間の温度差が大きくなることがある。したがって、搬送速度を遅くした場合は、温度が低い領域を加熱する励磁コイルを駆動する時間は、通常のシートの通紙状態のときよりも、短く設定される。
【０１２４】
第２の実施形態の処理の流れを示すフローチャートについて図１３および図１４を用いて説明する。また、搬送速度を２７０ｍｍ／ｓとした場合の駆動制御テーブルは図７に示したテーブルを用いる。一方、搬送速度を１３５ｍｍ／ｓとした場合の駆動制御テーブルは図１５に示したテーブルを用いる。
【０１２５】
まず、加熱制御部５２は、画像情報形成装置１の動作状況に応じて、メモリ５４に格納されたどの駆動制御テーブルに基づいて加熱部２１の励磁コイル２１a、２１bの駆動制御を行うのか、判定する。当該フローチャートのうち、画像形成装置１がウォームアップ状態、レディ状態、または通紙状態にあるか判定する部分については、第１の実施の形態の図８に示したフローチャートと共通するため、説明を省略する。
【０１２６】
第２の実施の形態においては、画像形成装置１の動作状況が通紙状態であると判定されたとき、図８の（３）に進み、さらに図１３に示すように、Ａｃｔ６０１において、シートの搬送スピードが２７０ｍｍ／ｓであるか否かが判定される。
【０１２７】
Ａｃｔ６０１でシートの搬送スピードが２７０ｍｍ／ｓであると判定された場合、加熱制御部５２は、Ａｃｔ５０１に進み、搬送スピードが２７０ｍｍ／ｓであるときの駆動制御テーブルに応じた駆動制御が行われる。このときの駆動制御テーブルは、図７に示したテーブルであり、第１の実施の形態の通紙状態のときと共通する。
【０１２８】
搬送スピードが２７０ｍｍ／ｓであるときの励磁コイルの駆動制御については、第１の実施形態の通紙状態の場合の駆動制御と共通するため、説明を省略する。
【０１２９】
一方、Ａｃｔ６０１で搬送スピードが２７０ｍｍ／ｓではないと判定されたとき、加熱制御部５２は、図１３の（Ａ）に進み、画像形成装置１が例えば厚紙や光沢紙が通紙される１３５ｍｍ／ｓでの通紙処理を行っていると判定する。さらに、図１４に示すようにＡｃｔ７０１に進んで、１３５ｍｍ／ｓでの通紙処理に対応した駆動制御テーブルを用いて加熱部２１の励磁コイル２１a、２１ｂの駆動制御を行う。
【０１３０】
以下、励磁コイル２１a、２１ｂの駆動制御について具体的に説明する。図１４に示すように、Ａｃｔ７０１において、温度情報取得部５１は、サーモパイル１７ａ、１７ｂで検知されたベルト１４の温度を温度情報として取得し、加熱制御部５２に送出する。加熱制御部５２は、Ａｃｔ７０２において、温度情報取得部５１が取得した温度情報に基づき、サーモパイル１７ａ、１７ｂで検知されたベルト１４の温度が制御温度（第２の実施の形態では１６０℃）に到達しているか否かを確認する。
【０１３１】
Ａｃｔ７０２で１６０℃以下であるとき、加熱制御部５２は、まずＡｃｔ７０３において、加熱部２１の励磁コイルの出力を１１００Ｗに設定する。次に、Ａｃｔ７０４において、加熱制御部５２は、ベルト１４の温度情報に基づき、サーモパイル１７ａ、１７ｂで検知されたベルト１４の中央部と端部の温度比較を実行する。続いて、加熱制御部５２は、当該温度比較結果に基づき、搬送速度が１３５ｍｍ／ｓであるときの通紙状態に対応した駆動制御テーブルに設定された温度差ごとの駆動時間を選択して、加熱部２１の励磁コイルの駆動制御を行う。
【０１３２】
具体的には、図１５の駆動制御テーブルに基づき、以下のようにして処理が行われるようにすることができる。
【０１３３】
まず、加熱制御部５２は、Ａｃｔ７０４においてベルト１４の中央部と端部の温度差が５℃以下であるか否か判定する。５℃以下である場合、加熱制御部５２は、加熱部２１のコイル２１a、２１ｂをそれぞれ２０ｍｓずつ駆動する（Ａｃｔ７０５）。次に、Ａｃｔ７０１に戻り、Ａｃｔ７０２においてベルト１４の温度が１６０℃に到達していると判定されるまで、処理を繰り返す。
【０１３４】
Ａｃｔ７０４において、ベルト１４の中央部と端部の温度差が５℃より大きいと判定されたとき、加熱制御部５２はＡｃｔ７０６に進み、ベルト１４の中央部と端部の温度差が５〜１０℃であるか否か判定する。５〜１０℃である場合、加熱制御部５２は、加熱部２１の励磁コイル２１a、２１ｂのうち、温度が低いと判定された側を加熱する励磁コイルを４０ｍｓ駆動する。また、温度が高いと判定された側を加熱する励磁コイルを２０ｍｓ駆動する（Ａｃｔ７０７）。次に、Ａｃｔ７０１に戻り、Ａｃｔ７０２においてベルト１４の温度が１６０℃に到達していると判定されるまで、処理を繰り返す。
【０１３５】
Ａｃｔ７０６において、ベルト１４の中央部と端部の温度差が１０℃より大きいと判定されたとき、加熱制御部５２はＡｃｔ７０８に進み、ベルト１４の中央部と端部の温度差が１０〜１５℃であるか否か判定する。１０〜１５℃である場合、加熱制御部５２は、加熱部２１の励磁コイル２１a、２１ｂのうち、温度が低いと判定された側を加熱する励磁コイルを６０ｍｓ駆動する（Ａｃｔ７０９）。また、温度が高いと判定された側を加熱する励磁コイルを２０ｍｓ駆動する（Ａｃｔ７０９）。次に、温度情報取得部５１が、ベルト１４の温度情報を取得する（Ａｃｔ７１０）。続いて、取得した温度情報に基づき、加熱制御部５２は、中央部と端部の温度差が５℃以下であるか否かを判定する（Ａｃｔ７１１）。中央部と端部の温度差が５℃より大きい場合、加熱制御部５２は、Ａｃｔ７０９に戻って処理を繰り返す。一方、中央部と端部の温度差が５℃以下と判定されたとき、加熱制御部５２は、Ａｃｔ７０１に戻り、Ａｃｔ７０２においてベルト１４の温度が１６０℃に到達していると判定されるまで、処理を繰り返す。
【０１３６】
Ａｃｔ７０８において、ベルト１４の中央部と端部の温度差が１５℃より大きいと判定されたとき、加熱制御部５２はＳ７１２に進み、ベルト１４の中央部と端部の温度差が１５〜２０℃であるか否か判定する。１５〜２０℃である場合、加熱制御部５２は、加熱部２１の励磁コイル２１a、２１ｂのうち、温度が低いと判定された側を加熱する励磁コイルを８０ｍｓ駆動する（Ａｃｔ７１３）。また、温度が高いと判定された側を加熱する励磁コイルを２０ｍｓ駆動する（Ａｃｔ７１３）。次に、温度情報取得部５１が、ベルト１４の温度情報を取得する（Ａｃｔ７１４）。続いて、取得した温度情報に基づき、中央部と端部の温度差が５℃以下であるか否かを判定する（Ａｃｔ７１５）。中央部と端部の温度差が５℃より大きい場合、加熱制御部５２は、Ａｃｔ７１３に戻って処理を繰り返す。一方、中央部と端部の温度差が５℃以下と判定されたとき、加熱制御部５２は、Ａｃｔ７０１に戻り、Ａｃｔ７０２においてベルト１４の温度が１６０℃に到達していると判定されるまで、処理を繰り返す。
【０１３７】
また、Ａｃｔ７１２において、ベルト１４の中央部と端部の温度差が２０℃より大きいと判定されたとき、加熱制御部５２は、加熱部２１の励磁コイル２１a、２１ｂのうち、温度が低いと判定された側を加熱する励磁コイルを１００ｍｓ駆動する（Ａｃｔ７１６）。また、温度が高いと判定された側を加熱する励磁コイルを２０ｍｓ駆動する（Ａｃｔ７１６）。次に、温度情報取得部５１は、ベルト１４の温度情報を取得する（Ａｃｔ７１７）。続いて、取得した温度情報に基づき、中央部と端部の温度差が５℃以下であるか否かを判定する（Ａｃｔ７１８）。中央部と端部の温度差が５℃より大きい場合、加熱制御部５２は、Ａｃｔ７１６に戻って処理を繰り返す。一方、中央部と端部の温度差が５℃以下と判定されたとき、加熱制御部５２は、Ａｃｔ７０１に戻り、Ａｃｔ７０２においてベルト１４の温度が１６０℃に到達していると判定されるまで、処理を繰り返す。
【０１３８】
以上に記載した処理を行った結果、画像形成装置が搬送速度を遅くした動作モードを備えるときにも、ベルト１４上の回転軸方向における温度分布を略一定に保つことができる。
【０１３９】
（第３の実施の形態）
本発明の第３の実施の形態においては、加熱制御部５２は、第１の実施の形態の説明で示した励磁コイル２１a、２１ｂの駆動制御に加えて、小サイズのシートが連続で通紙されるような場合にも対応する励磁コイル２１a、２１ｂの駆動制御を行うように構成されている。
【０１４０】
すなわち、例えばＡ４Ｒなどの小サイズシートが連続して通紙される場合、ベルト１４の回転軸方向における小サイズシートと接触する領域、例えば中央部と、接触しない領域、例えば端部とでは、奪われる熱量が異なる。具体的には、中央部は消費熱量が大きく、これに対し、端部は熱量がほとんど消費されない。そのため、小サイズシートが連続して通紙されると、ベルト１４の回転軸方向における温度分布の差が、通常のシートが通紙される場合よりも大きくなる傾向にある。このため、小サイズシートが連続して通紙される動作状況である場合は、当該状況に対応した駆動制御テーブルに基づき、励磁コイルの駆動制御を行う。
【０１４１】
なお、第３の実施の形態においては、Ａ４Ｒよりベルト１４の回転軸方向において当該ベルト１４と接触する面積が大きいものを通常のシートと、また、当該ベルト１４と接触する面積の大きさがＡ４Ｒ以下であるものを小サイズシートと称す。
【０１４２】
第３の実施の形態の処理の流れを示すフローチャートについて、図１６および図１７を用いて説明する。なお、小サイズシートより大きな紙が通紙される場合あるいは小サイズシートの通紙される枚数が所定枚数より少ない場合、例えば２０枚より少ない場合は図７に示す駆動制御テーブルを用いる。また、小サイズシートが所定枚数連続して通紙される場合、例えばＡ４−Ｒ以下の大きさのシートが２０枚以上連続して通紙される場合は、図１８に示す駆動制御テーブルを用いる。なお、ここでの２０枚とは、一例であり、定着温度やシートの種別によって変動し得る値であることは言うまでもない。
【０１４３】
まず、加熱制御部５２は、画像形成装置１の動作状況に応じて、メモリ５４に格納されたどの駆動制御テーブルに基づいて加熱部２１の励磁コイルの駆動制御を行うのか、判定する。当該フローチャートのうち、画像形成装置１がウォームアップ状態、レディ状態、または通紙状態にあるか判定する部分については、第１の実施の形態の図８に示したフローチャートと共通するため、説明を省略する。
【０１４４】
図８において、画像形成装置の動作状況が通紙状態であると判定されたときは、（３）に進み、さらに図１６に示すように、Ａｃｔ８０１において、通紙されるシートが小サイズシートであるか否かが判定される。
【０１４５】
Ａｃｔ８０１で通紙されるシートが小サイズシートでないと判定された場合、加熱制御部５２は、Ａｃｔ５０１に進み、通常のシートの通紙状態の駆動制御テーブルに応じた駆動制御を行う。
【０１４６】
また、Ａｃｔ８０１で通紙されるシートが小サイズシートであると判定された場合、加熱制御部５２は、Ａｃｔ８０２に進み、通紙されるシートの枚数が１つのジョブで２０枚以上通紙されるか否か判定する。通紙されるシートの枚数が２０枚より少ないとき、加熱制御部５２は、Ａｃｔ５０１に進み、通常のシートの通紙状態の駆動制御テーブルに応じた駆動制御を行う。
【０１４７】
通常のシートの通紙状態の駆動制御テーブルに応じた加熱部２１の励磁コイルの駆動制御については、第１の実施の形態と共通するため、説明を省略する。
【０１４８】
一方、Ａｃｔ８０２で小サイズシートが１つのジョブで２０枚以上通紙されると判定されたとき、加熱制御部５２は、（Ｂ）に進む。さらに、図１７に示すように、Ａｃｔ９０１に進み、図１７のフローチャートに基づき、小サイズシートが２０枚以上連続して通紙される場合に対応した図１８の駆動制御テーブルを用いて加熱部２１の励磁コイルの駆動制御を行う。
【０１４９】
最初に、Ａｃｔ９０１において、温度情報取得部５１は、サーモパイル１７ａ、１７ｂで検知されたベルト１４の温度を温度情報として取得し、加熱制御部５２に送出する。加熱制御部５２は、Ａｃｔ９０２において、温度情報取得部５１から取得した温度情報に基づき、サーモパイル１７ａ、１７ｂで検知されたベルト１４の温度が制御温度（第３の実施の形態では１６０℃）に到達しているか否かを判定する。
【０１５０】
Ａｃｔ９０２で１６０℃以下であるとき、加熱制御部５２は、まずＡｃｔ９０３において、加熱部２１の励磁コイルの出力を１１００Ｗに設定する。次に、次に、Ａｃｔ９０４において、加熱制御部５２は、ベルト１４の温度情報に基づき、サーモパイル１７ａ、１７ｂで検知されたベルト１４の中央部と端部の温度比較を実行する。続いて、加熱制御部５２は、当該温度比較結果に基づき、小サイズシートが連続して通紙される場合の駆動制御テーブルに設定された温度差ごとの駆動時間を選択して、加熱部２１の励磁コイルの駆動制御を行う。
【０１５１】
具体的には、図１８の駆動制御テーブルに基づき、以下のようにして処理が行われるようにすることができる。
【０１５２】
まず、加熱制御部５２は、Ａｃｔ９０４においてベルト１４の中央部と端部の温度差が５℃以下であるか否か判定する。５℃以下である場合、加熱制御部５２は、加熱部２１の励磁コイル２１a、２１ｂをそれぞれ２０ｍｓずつ駆動する（Ａｃｔ９０５）。次に、Ａｃｔ９０１に戻り、Ａｃｔ９０２においてベルト１４の温度が１６０℃に到達していると判定されるまで、処理を繰り返す。
【０１５３】
Ａｃｔ９０４において、ベルト１４の中央部と端部の温度差が５℃より大きいと判定されたとき、加熱制御部５２は、Ａｃｔ９０６に進み、ベルト１４の中央部と端部の温度差が５〜１０℃であるか否か判定する。５〜１０℃である場合、加熱制御部５２は、加熱部２１の励磁コイル２１a、２１ｂのうち、温度が低いと判定された側を加熱する励磁コイルを４０ｍｓ駆動する。また、温度が高いと判定された側を加熱する励磁コイルを２０ｍｓ駆動する（Ａｃｔ９０７）。次に、Ａｃｔ９０１に戻り、Ａｃｔ９０２においてベルト１４の温度が１６０℃に到達していると判定されるまで、処理を繰り返す。
【０１５４】
Ａｃｔ９０６において、ベルト１４の中央部と端部の温度差が１０℃より大きいと判定されたとき、加熱制御部５２は、Ａｃｔ９０８に進み、ベルト１４の中央部と端部の温度差が１０〜１５℃であるか否か判定する。１０〜１５℃である場合、加熱制御部５２は、加熱部２１の励磁コイル２１a、２１ｂのうち、温度が低いと判定された側を加熱する励磁コイルを６０ｍｓ駆動する（Ａｃｔ９０９）。また、温度が高いと判定された側を加熱する励磁コイルを２０ｍｓ駆動する（Ａｃｔ９０９）。次に、温度情報取得部５１は、ベルト１４の温度情報を取得する（Ａｃｔ９１０）。続いて、取得した温度情報に基づき、加熱制御部５２は、中央部と端部の温度差が５℃以下であるか否かを判定する（Ａｃｔ９１１）。中央部と端部の温度差が５℃より大きい場合、加熱制御部５２は、Ａｃｔ９０９に戻って処理を繰り返す。一方、中央部と端部の温度差が５℃以下と判定されたとき、加熱制御部５２は、Ａｃｔ９０１に戻り、Ａｃｔ９０２においてベルト１４の温度が１６０℃に到達していると判定されるまで、処理を繰り返す。
【０１５５】
Ａｃｔ９０８において、ベルト１４の中央部と端部の温度差が１５℃より大きいと判定されたとき、加熱制御部５２はＡｃｔ９１２に進み、ベルト１４の中央部と端部の温度差が１５〜２０℃であるか否か判定する。１５〜２０℃である場合、加熱制御部５２は、加熱部２１の励磁コイル２１a、２１ｂのうち、温度が低いと判定された側を加熱する励磁コイルを１６０ｍｓ駆動する（Ａｃｔ９１３）。また、温度が高いと判定された側を加熱する励磁コイルを２０ｍｓ駆動する（Ａｃｔ９１３）。次に、温度情報取得部５１は、ベルト１４の温度情報を取得する（Ａｃｔ９１４）。続いて、取得した温度情報に基づき、加熱制御部５２は、中央部と端部の温度差が５℃以下であるか否かを判定する（Ａｃｔ９１５）。中央部と端部の温度差が５℃より大きい場合、加熱制御部５２はＡｃｔ９１３に戻って処理を繰り返す。一方、中央部と端部の温度差が５℃以下と判定されたとき、加熱制御部５２は、Ａｃｔ９０１に戻り、Ａｃｔ９０２においてベルト１４の温度が１６０℃に到達していると判定されるまで、処理を繰り返す。
【０１５６】
また、Ａｃｔ９１２において、ベルト１４の中央部と端部の温度差が２０℃より大きいと判定されたとき、加熱制御部５２は、加熱部２１の励磁コイル２１a、２１ｂのうち、温度が低いと判定された側を加熱する励磁コイルを２００ｍｓ駆動する（Ａｃｔ９１６）。また、温度が高いと判定された側を加熱する励磁コイルを２０ｍｓ駆動する（Ａｃｔ９１６）。次に、温度情報取得部５１は、ベルト１４の温度情報を取得する（Ａｃｔ９１７）。続いて、取得した温度情報に基づき、加熱制御部５２は、中央部と端部の温度差が５℃以下であるか否かを判定する（Ａｃｔ９１８）。中央部と端部の温度差が５℃より大きい場合、加熱制御部５２は、Ａｃｔ９１６に戻って処理を繰り返す。一方、中央部と端部の温度差が５℃以下と判定されたとき、加熱制御部５２は、Ａｃｔ９０１に戻り、Ａｃｔ９０２においてベルト１４の温度が１６０℃に到達していると判定されるまで、処理を繰り返す。
【０１５７】
以上に記載した処理を行った結果、画像形成装置が小サイズシートを所定枚数以上連続して通紙を行った場合にも、ベルト１４上の回転軸方向における温度分布を略一定に保つことができる。
【０１５８】
（第４の実施の形態）
本発明の第４の実施の形態においては、加熱制御部５２は、第１の実施の形態の説明で示した励磁コイル２１a、２１ｂの駆動制御に加えて、通紙状態における画像形成装置１内部の温度状況に応じた励磁コイル２１a、２１ｂの駆動制御を行うように構成されている。
より具体的に説明すると、画像形成装置１内部の温度の違いに応じて、ベルト１４の温度上昇の度合いも異なる傾向がある。すなわち、画像形成装置１内部の温度が通常よりも低い場合、同じ駆動時間でベルト１４を加熱しても温度が上がりにくい。そのため、加熱制御部５２は、画像形成装置１内部の温度が所定温度以下である場合、例えば１０℃以下である場合と、所定温度より高い場合、例えば１０℃より高い場合のそれぞれに対応した駆動制御テーブルを用いて、加熱部２１の励磁コイル２１a、２１bの駆動制御を行う。
まず、第４の実施の形態の機能ブロックについて図１９を用いて説明する。なお、図１９における各ブロックの機能は、例えばメモリ５４に格納されている各種プログラムをＣＰＵ４５にて実行させることにより実現される。
【０１５９】
図１９に示すように、第４の実施の形態の定着装置の励磁コイルの駆動制御は、温度情報取得部５１と、加熱制御部５２と、第２の温度情報取得部５５と、により行われている。
【０１６０】
なお、第２の温度情報取得部５５および加熱制御部５２以外の機能ブロックについては第１の実施の形態と共通するため、説明を省略する。
【０１６１】
第２の温度情報取得部５５は、画像形成装置１内部に配置された温度センサ（不図示）が検知した温度を画像形成装置１内部の温度情報として取得し、加熱制御部５２に送出する。なお、当該温度センサは例えば、画像形成装置内１の感光体、転写ローラ等の近傍に配置することができる。この場合、温度センサは、プロセスユニット周辺の温度を検知している。
【０１６２】
加熱制御部５２は、温度情報取得部５１から取得したベルト１４の温度情報、および第２の温度情報取得部５５が取得した画像形成装置１内部の温度情報に基づき、加熱部２１の励磁コイル２１a、２１bの駆動時間を制御することにより、ベルト１４の回転軸方向における温度を制御する。なお、第４の実施の形態においても、他の実施の形態の場合と同様に、励磁コイル２１aおよび２１bは、交互に駆動される。
【０１６３】
加熱制御部５２の温度制御の例について、より具体的に説明する。加熱制御部５２はまず、動作情報取得部５３から取得した画像形成装置の動作状況に関する情報に基づき、画像形成装置１の動作状況を判定する。このとき、画像形成装置１の動作状況がウォーアップおよびレディ状態であると判定された場合は、第１の実施形態の場合と同様の方法に従い、励磁コイルの駆動制御を行う。一方、画像形成装置１の動作状況が通紙状態であると判定された場合、加熱制御部５２は、第２の温度情報取得部５５から取得した画像形成装置１内部の温度に関する情報に基づき、加熱制御部内部の温度が所定値以下であるか、判定する。次に加熱制御部５２は、温度情報取得部５１から取得した温度情報に基づき、ベルト１４の第１の領域（中央部および端部の内のいずれか一方）と第１の領域より温度が低い第２の領域（中央部および端部の内のいずれか他方）との温度差を演算する。続いて、加熱制御部５２は、メモリ５４の駆動制御テーブルを参照して、第１および第２の領域を加熱する各励磁コイルの駆動時間として設定されている複数通りの駆動時間のうち、ベルト１４における温度差および画像形成装置１の内部温度に対応付けられている駆動時間を、第１および第２の領域を加熱する各励磁コイルの駆動時間として選択する。
【０１６４】
第４の実施の形態の処理の流れを示すフローチャートについて、図２０、図２１、および図２２を用いて説明する。また、画像形成装置１の内部温度が１０℃以下である場合の駆動制御テーブルを図２３に示す。１０℃より高い場合の駆動制御テーブルを図２４に示す。
【０１６５】
まず、加熱制御部５２は、画像情報形成装置１の動作状況に応じて、メモリ５４に格納されたどの駆動制御テーブルに基づいて加熱部２１の励磁コイルの駆動制御を行うのか、判定する。当該フローチャートのうち、画像形成装置１がウォームアップ状態、レディ状態、または通紙状態にあるか判定する部分については、第１の実施の形態の図８に示したフローチャートと共通するため、説明を省略する。
【０１６６】
図８において、第４の実施の形態においては、画像形成装置１の動作状況が通紙状態であると判定されたとき、図８の（３）に進み、さらに図２０に示すように、Ａｃｔ１００１において、画像形成装置１の内部温度が１０℃以下であるか否かが判定される。
【０１６７】
Ａｃｔ１００１で画像形成装置１の内部温度が１０℃以下であると判定された場合（Ｃ）に進み、さらに図２１に示すようにＡｃｔ１１０１に進み、画像形成装置１の内部温度が１０℃以下であるときの駆動制御テーブルに応じた駆動制御が行われる。このときの駆動制御テーブルは、図２３に示したテーブルである。
【０１６８】
一方、Ａｃｔ１００１で画像形成装置１の内部温度が１０℃より高いと判定された場合、（Ｄ）に進み、さらに図２２に示すようにＡｃｔ１２０１に進み、画像形成装置１の内部温度が１０℃より高いときの駆動制御テーブルに応じた駆動制御が行われる。このときの駆動制御テーブルは、図２４に示したテーブルである。
【０１６９】
加熱制御部５２は、まず、画像形成装置１内部の温度情報に応じて、メモリ５４に格納されたどの駆動制御テーブルに基づいて加熱部２１の駆動制御を行うのか、判定する。
【０１７０】
ここで、画像形成装置１内部の温度が１０℃以下である場合の駆動制御テーブルに応じた加熱部２１の励磁コイルの駆動制御について、図２１を用いて詳細に説明する。
【０１７１】
最初に、Ａｃｔ１１０１において、温度情報取得部５１は、サーモパイル１７ａ、１７ｂで検知されたベルト１４の温度を温度情報として取得し、加熱制御部５２に送出する。Ａｃｔ１１０２において、加熱制御部５２は、温度情報取得部５１から取得した温度情報に基づき、サーモパイル１７ａ、１７ｂで検知されたベルト１４の温度が制御温度（第４の実施の形態では１６０℃）に到達しているか否かを確認する。
【０１７２】
Ａｃｔ１１０２で１６０℃以下であるとき、加熱制御部５２は、まずＡｃｔ１１０３において、加熱部２１の励磁コイル２１a、２１bの出力を１１００Ｗに設定する。次に、Ａｃｔ１１０４において、加熱制御部５２は、ベルト１４の温度情報に基づき、サーモパイル１７ａ、１７ｂで検知されたベルト１４の中央部と端部の温度比較を実行する。続いて、加熱制御部５２は、当該温度比較結果に基づき、駆動制御テーブルに設定された温度差ごとの駆動時間を選択して、加熱部２１の励磁コイルの駆動制御を行う。
【０１７３】
具体的には、図２３の駆動制御テーブルに基づき、以下のようにして処理が行われるようにすることができる。
【０１７４】
まず、加熱制御部５２は、Ａｃｔ１１０４においてベルト１４の中央部と端部の温度差が５℃以下であるか否か判定する。５℃以下である場合、加熱制御部５２は、加熱部２１の励磁コイル２１a、２１ｂをそれぞれ２０ｍｓずつ駆動する（Ａｃｔ１１０５）。次に、加熱制御部５２は、Ａｃｔ１１０１に戻り、ＡＣＴ１１０２においてベルト１４の温度が１６０℃に到達していると判定されるまで、処理を繰り返す。
【０１７５】
Ａｃｔ１１０４において、ベルト１４の中央部と端部の温度差が５℃より大きいと判定されたとき、加熱制御部５２はＡｃｔ１１０６に進み、ベルト１４の中央部と端部の温度差が５〜１０℃であるか否か判定する。５〜１０℃である場合、加熱制御部５２は、加熱部２１の励磁コイル２１a、２１ｂのうち、温度が低いと判定された側を加熱する励磁コイルを６０ｍｓ駆動する。また、温度が高いと判定された側を加熱する励磁コイルを２０ｍｓ駆動する（Ａｃｔ１１０７）。次に、加熱制御部５２は、Ａｃｔ１１０１に戻り、Ａｃｔ１１０２においてベルト１４の温度が１６０℃に到達していると判定されるまで、処理を繰り返す。
【０１７６】
Ａｃｔ１１０６において、ベルト１４の中央部と端部の温度差が１０℃より大きいと判定されたとき、加熱制御部５２は、Ａｃｔ１１０８に進み、ベルト１４の中央部と端部の温度差が１０〜１５℃であるか否か判定する。１０〜１５℃である場合、加熱制御部５２は、加熱部２１の励磁コイル２１a、２１ｂのうち、温度が低いと判定された側を加熱する励磁コイルを１００ｍｓ駆動する（Ａｃｔ１１０９）。また、温度が高いと判定された側を加熱する励磁コイルを２０ｍｓ駆動する（Ａｃｔ１１０９）。次に、温度情報取得部５１は、ベルト１４の温度情報を取得する（Ａｃｔ１１１０）。続いて、取得した温度情報に基づき、加熱制御部５２は、中央部と端部の温度差が５℃以下であるか否かを判定する（Ａｃｔ１１１１）。中央部と端部の温度差が５℃より大きい場合、加熱制御部５２は、Ａｃｔ１１０９に戻って処理を繰り返す。一方、中央部と端部の温度差が５℃以下と判定されたとき、加熱制御部５２は、Ａｃｔ１１０１に戻り、Ａｃｔ１１０２においてベルト１４の温度が１６０℃に到達していると判定されるまで、処理を繰り返す。
【０１７７】
Ａｃｔ１１１２において、ベルト１４の中央部と端部の温度差が１５℃より大きいと判定されたとき、加熱制御部５２は、Ａｃｔ１１１２に進み、ベルト１４の中央部と端部の温度差が１５〜２０℃であるか否か判定する。１５〜２０℃である場合、加熱制御部５２は、加熱部２１の励磁コイル２１a、２１ｂのうち、温度が低いと判定された側を加熱する励磁コイルを１４０ｍｓ駆動する（Ａｃｔ１１１３）。また、温度が高いと判定された側を加熱する励磁コイルを２０ｍｓ駆動する（Ａｃｔ１１１３）。次に、温度情報取得部５１は、ベルト１４の温度情報を取得する（Ａｃｔ１１１４）。続いて、取得した温度情報に基づき、中央部と端部の温度差が５℃以下であるか否かを判定する（Ａｃｔ１１１５）。中央部と端部の温度差が５℃より大きい場合、加熱制御部５２は、Ａｃｔ１１１３に戻って処理を繰り返す。一方、中央部と端部の温度差が５℃以下と判定されたとき、加熱制御部５２は、Ａｃｔ１１０１に戻り、Ａｃｔ１１０２においてベルト１４の温度が１６０℃に到達していると判定されるまで、処理を繰り返す。
【０１７８】
また、Ａｃｔ１１１２において、ベルト１４の中央部と端部の温度差が２０℃より大きいと判定されたとき、加熱制御部５２は、加熱部２１の励磁コイル２１a、２１ｂのうち、温度が低いと判定された側を加熱する励磁コイルを１８０ｍｓ駆動する（Ａｃｔ１１１６）。また、温度が高いと判定された側を加熱する励磁コイルを２０ｍｓ駆動する（Ａｃｔ１１１６）。次に、温度情報取得部５１は、ベルト１４の温度情報を取得する（Ａｃｔ１１１７）。続いて、取得した温度情報に基づき、中央部と端部の温度差が５℃以下であるか否かを判定する（Ａｃｔ１１１８）。中央部と端部の温度差が５℃より大きい場合、加熱制御部５２は、Ａｃｔ１１１６に戻って処理を繰り返す。一方、中央部と端部の温度差が５℃以下と判定されたとき、加熱制御部５２は、Ａｃｔ１１０１に戻り、Ａｃｔ１１０２においてベルト１４の温度が１６０℃に到達していると判定されるまで、処理を繰り返す。
【０１７９】
一方、Ａｃｔ１００１で画像形成装置内部の温度が１０℃より高いと判定されたとき、加熱制御部５２はＡｃｔ１２０１に進み、図２２に示したフローチャートに基づき、画像形成装置内部の温度が１０℃より高いときに対応した駆動制御テーブルを用いて加熱部２１の励磁コイルの駆動制御を行う。
【０１８０】
最初に、Ａｃｔ１２０２において、温度情報取得部５１は、サーモパイル１７ａ、１７ｂで検知されたベルト１４の温度を温度情報として取得し、加熱制御部５２に送出する。加熱制御部５２は、Ａｃｔ１２０２において、温度情報取得部５１が取得した温度情報に基づき、サーモパイル１７ａ、１７ｂで検知されたベルト１４の温度が１６０℃に到達しているか否かを判定する。
【０１８１】
Ａｃｔ１２０２で１６０℃以下であるとき、加熱制御部５２は、まずＡｃｔ１２０３において、加熱部２１の出力を１１００Ｗに設定する。次に、Ａｃｔ１２０４において、加熱制御部５２は、ベルト１４の温度情報に基づき、サーモパイル１７ａ、１７ｂで検知されたベルト１４の中央部と端部の温度比較を実行する。続いて、加熱制御部５２は、当該温度比較結果に基づき、画像形成装置の内部温度が１０℃より高い場合に対応した駆動制御テーブルに設定された温度差ごとの駆動時間を選択して、加熱部２１の励磁コイルの駆動制御を行う。
【０１８２】
具体的には、図２４の駆動制御テーブルに基づき、以下のようにして処理が行われるようにすることができる。
【０１８３】
まず、加熱制御部５２は、Ａｃｔ１２０４において、ベルト１４の中央部と端部の温度差が５℃以下であるか否か判定する。５℃以下である場合、加熱制御部５２は、加熱部２１の励磁コイル２１a、２１ｂをそれぞれ２０ｍｓずつ駆動する（Ａｃｔ１２０５）。次に、加熱制御部５２は、Ａｃｔ１２０１に戻り、Ａｃｔ１２０２においてベルト１４の温度が１６０℃に到達していると判定されるまで、処理を繰り返す。
【０１８４】
Ａｃｔ１２０４において、ベルト１４の中央部と端部の温度差が５℃より大きいと判定されたとき、加熱制御部５２は、Ａｃｔ１２０６に進み、ベルト１４の中央部と端部の温度差が５〜１０℃であるか否か判定する。５〜１０℃である場合、加熱制御部５２は、加熱部の励磁コイル２１a、２１ｂのうち、温度が低いと判定された側を加熱する励磁コイルを４０ｍｓ駆動する。また、温度が高いと判定された側を加熱する励磁コイルを２０ｍｓ駆動する（Ａｃｔ１２０７）。次に、加熱制御部５２は、Ａｃｔ１２０１に戻り、Ａｃｔ１２０２においてベルト１４の温度が１６０℃に到達していると判定されるまで、処理を繰り返す。
【０１８５】
Ａｃｔ１２０６において、ベルト１４の中央部と端部の温度差が１０℃より大きいと判定されたとき、加熱制御部５２は、Ａｃｔ１２０８に進み、ベルト１４の中央部と端部の温度差が１０〜１５℃であるか否か判定する。１０〜１５℃である場合、加熱制御部５２は、加熱部２１の励磁コイル２１a、２１ｂのうち、温度が低いと判定された側を加熱する励磁コイルを８０ｍｓ駆動する（Ａｃｔ１２０９）。また、温度が高いと判定された側を加熱する励磁コイルを２０ｍｓ駆動する（Ａｃｔ１２０９）。次に、温度情報取得部５１は、ベルト１４の温度情報を取得する（Ａｃｔ１２１０）。続いて、取得した温度情報に基づき、加熱制御部５２は、中央部と端部の温度差が５℃以下であるか否かを判定する（Ａｃｔ１２１１）。中央部と端部の温度差が５℃より大きい場合、加熱制御部５２は、Ａｃｔ１２０９に戻って処理を繰り返す。一方、中央部と端部の温度差が５℃以下と判定されたとき、加熱制御部５２は、Ａｃｔ１２０１に戻り、Ａｃｔ１２０２においてベルト１４の温度が１６０℃に到達していると判定されるまで、処理を繰り返す。
【０１８６】
Ａｃｔ１２０８において、ベルト１４の中央部と端部の温度差が１５℃より大きいと判定されたとき、加熱制御部５２はＡｃｔ１２１２に進み、ベルト１４の中央部と端部の温度差が１５〜２０℃であるか否か判定する。１５〜２０℃である場合、加熱制御部５２は、加熱部２１の励磁コイル２１a、２１ｂのうち、温度が低いと判定された側を加熱する励磁コイルを１００ｍｓ駆動する（Ａｃｔ１２１３）。また、温度が高いと判定された側を加熱する励磁コイルを２０ｍｓ駆動する（Ａｃｔ１２１３）。次に、温度情報取得部５１は、ベルト１４の温度情報を取得する（Ａｃｔ１２１４）。続いて、取得した温度情報に基づき、加熱制御部５２は、中央部と端部の温度差が５℃以下であるか否かを判定する（Ａｃｔ１２１５）。中央部と端部の温度差が５℃より大きい場合、加熱制御部５２はＡｃｔ１２１３に戻って処理を繰り返す。一方、中央部と端部の温度差が５℃以下と判定されたとき、加熱制御部５２は、Ａｃｔ１２０１に戻り、Ａｃｔ１２０２においてベルト１４の温度が１６０℃に到達していると判定されるまで、処理を繰り返す。
【０１８７】
また、Ａｃｔ１２１２において、ベルト１４の中央部と端部の温度差が２０℃より大きいと判定されたとき、加熱制御部５２は、加熱部２１の励磁コイル２１a、２１ｂのうち、温度が低いと判定された側を加熱する励磁コイルを１２０ｍｓ駆動する（Ａｃｔ１２１６）。また、温度が高いと判定された側を加熱する励磁コイルを２０ｍｓ駆動する（Ａｃｔ１２１６）。次に、温度情報取得部５１は、ベルト１４の温度情報を取得する（Ａｃｔ１２１７）。続いて、取得した温度情報に基づき、加熱制御部５２は、中央部と端部の温度差が５℃以下であるか否かを判定する（Ａｃｔ１２１８）。中央部と端部の温度差が５℃より大きい場合、加熱制御部５２は、Ａｃｔ１２１６に戻って処理を繰り返す。一方、中央部と端部の温度差が５℃以下と判定されたとき、加熱制御部５２は、Ａｃｔ１２０１に戻り、Ａｃｔ１２０２においてベルト１４の温度が１６０℃に到達していると判定されるまで、処理を繰り返す。
【０１８８】
以上に記載した処理を行った結果、通紙状態における画像形成装置の内部温度が通常の場合より低いときにも、ベルト１４上の回転軸方向における温度分布を略一定に保つことができる。
【０１８９】
（第５の実施形態）
また、上述の実施の形態において、サーモパイルの位置は、ベルト１４のベルト面に近接する位置（図２）としているが、これに限定されるものではなく、他の位置に配置することも可能である。
【０１９０】
第５の実施の形態は、第１の実施形態でベルト１４のベルト面に近接して配置されたサーモパイル１７a、１７ｂを、加熱ローラ１１に近接する位置に配置している。
【０１９１】
すなわち、図２５に示すように、第５の実施の形態の定着装置は、サーモパイル１７a、１７ｂが、加熱ローラ１１のローラ面に近接する位置に配置され、加熱ローラ１１におけるベルト１４の複数の領域に対応する領域、例えばベルト１４の中央部および端部に対応する領域の表面温度を検知する。そして、温度情報取得部５１は、当該表面温度をベルト１４の温度情報として取得する。
【０１９２】
（第６の実施の形態）
第６の実施の形態は、第１の実施形態でベルト１４のベルト面に近接して配置されたサーモパイル１７a、１７ｂを、加圧ローラ１２に近接する位置に配置している。
【０１９３】
すなわち、図２６に示すように、第６の実施の形態の定着装置は、サーモパイル１７a、１７ｂが、加圧ローラ１２のローラ面に近接する位置に配置され、加圧ローラ１２におけるベルト１４の複数の領域に対応する領域、例えばベルト１４の中央部および端部に対応する領域の表面温度を検知する。そして、温度情報取得部５１は、当該表面温度をベルト１４の温度情報として取得する。
【０１９４】
（第７の実施の形態）
第１〜第６の実施形態においては、張架ローラ１３およびベルト１４を備える構成としているが本発明はこれに限定されない。すなわち、第７の実施の形態として示すように、第１〜第６の実施形態から張架ローラ１３およびベルト１４を除いた構成としてもよい。
【０１９５】
具体的には、定着装置７を、加熱ローラ１１と、加圧ローラ１２と、励磁コイル２１a、21bを有する加熱部２１と、サーモパイル１７a、１７ｂと、温度情報取得部５１と、加熱制御部５２と、動作状況取得部５３とを備える構成とすることができる。温度情報取得部５１は加熱ローラ１１の回転軸方向における温度情報を取得する。また、加熱制御部５２は、当該温度情報に基づいて、第１〜第４の実施の形態と同様の励磁コイル２１a、21bの駆動制御を行うことにより、加熱ローラ１１の回転軸方向における温度制御を行う。
【０１９６】
サーモパイル１７a、１７ｂの位置についても、第５および第６の実施形態と同様に、加熱ローラ１１に近接する位置や、加圧ローラ１２に近接する位置とすることができる。
【０１９７】
以上、本発明について、実施の形態を例示して説明したが、本発明はこれに限定されるものではなく、様々な変更が可能である。
【０１９８】
また、上述の定着装置での処理における各動作は、ＭＥＭＯＲＹ５４に格納されている温度制御プログラムをＣＰＵ４５に実行させることにより実現されるものである。
【０１９９】
さらに、定着装置を構成するコンピュータにおいて上述した各動作を実行させるプログラムを、温度制御プログラムとして提供することができる。第１〜第４の実施の形態では、発明を実施する機能を実現するための当該プログラムが、装置内部に設けられた記憶領域に予め記録されている場合を例示したが、これに限らず同様のプログラムをネットワークから装置にダウンロードしても良いし、同様のプログラムをコンピュータ読取可能な記録媒体に記憶させたものを装置にインストールしてもよい。記録媒体としては、プログラムを記憶でき、かつコンピュータが読み取り可能な記録媒体であれば、その形態は何れの形態であっても良い。具体的に、記録媒体としては、例えば、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体、コンピュータプログラムを保持するデータベース、或いは、他のコンピュータ並びにそのデータベースや、回線上の伝送媒体などが挙げられる。またこのように予めインストールやダウンロードにより得る機能は装置内部のＯＳ（オペレーティング・システム）等と共働してその機能を実現させるものであってもよい。
【０２００】
なお、本実施の形態におけるプログラムには、実行モジュールが動的に生成されるプログラムを含むものとする。
【０２０１】
本発明を特定の態様により詳細に説明したが、本発明の精神および範囲を逸脱しないかぎり、様々な変更および改質がなされ得ることは、当業者には自明であろう。
【符号の説明】
【０２０２】
５１  温度情報取得部、５２  加熱制御部、５３  動作情報取得部。
【先行技術文献】
【特許文献】
【０２０３】
【特許文献１】特開２０００−２０６８１３号公報
【０２０４】
【特許文献２】特開２００１−３１２１７８号公報
【０２０５】
【特許文献３】特開２００４−６３５３号公報
【０２０６】
【特許文献４】特開２００４−２７３４５４号公報
【図１】
2009217264.tif 000003
【図２】
2009217264.tif 000004
【図３】
2009217264.tif 000005
【図４】
2009217264.tif 000006
【図５】
2009217264.tif 000007
【図６】
2009217264.tif 000008
【図７】
2009217264.tif 000009
【図８】
2009217264.tif 000010
【図９】
2009217264.tif 000011
【図１０】
2009217264.tif 000012
【図１１】
2009217264.tif 000013
【図１２】
2009217264.tif 000014
【図１３】
2009217264.tif 000015
【図１４】
2009217264.tif 000016
【図１５】
2009217264.tif 000017
【図１６】
2009217264.tif 000018
【図１７】
2009217264.tif 000019
【図１８】
2009217264.tif 000020
【図１９】
2009217264.tif 000021
【図２０】
2009217264.tif 000022
【図２１】
2009217264.tif 000023
【図２２】
2009217264.tif 000024
【図２３】
2009217264.tif 000025
【図２４】
2009217264.tif 000026
【図２５】
2009217264.tif 000027
【図２６】
2009217264.tif 000028